(57)【要約】【課題】予備ステープル収納部が不用意に開いて内部に収納したステープルが落下してばらけてしまうのを有効に防止する。【解決手段】ベース１とマガジン２との間に被綴り用紙を挟み、ハンドル３をマガジン側に押し付けることにより、ハンドル３のドライバプレートでマガジン内のステープルを打ち出して被綴り用紙を貫通させて綴じるとともに、ハンドル３の上面に予備ステープル収納部１１を開口形成したステープラにおいて、予備ステープル収納部１１を覆うカバー１３とハンドル３のうち一方の両側部に設けられた凸部１８を他方の両側部に設けられた長穴１５に、回動かつハンドル３の長手方向に沿ってスライド可能に支持させるとともに、カバーが一方の端部にスライドしたときはカバー１３とハンドル３とが係合し、他方の端部にスライドしたときは係合が解除されてカバー１３を回動可能とした。【選択図】図１
2008119828.tif 000002
【特許請求の範囲】
【請求項１】
先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、
上記収納部を覆うカバーとハンドルのうち一方の両側部に設けられた凸部を他方の両側部に設けられた長穴に、回動かつハンドルの長手方向に沿ってスライド可能に支持させるとともに、上記カバーが一方の端部にスライドしたときはカバーとハンドルとが係合し、他方の端部にスライドしたときは上記係合が解除されて上記カバーを回動可能とした
ことを特徴とする予備ステープル収納部を備えたステープラ。
【請求項２】
前記長穴の中間部をその両側に比べて前記凸部がきつく移動するように形成した、請求項１記載の予備ステープル収納部を備えたステープラ。
【請求項３】
前記カバーの裏面には、カバー閉じ時に前記予備ステープル収納部に収納されたステープルを押える押え部を形成した、請求項１または２に記載の予備ステープル収納部を備えたステープラ。
【発明の詳細な説明】
【技術分野】
【０００１】
本発明は、マガジン内に装填したステープルのほかに、予備ステープルの収納部を備えたステープラに関するものである。
【背景技術】
【０００２】
一般に、この種のステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるものである。
【０００３】
ところで、ステープルはマガジン内に装填され、マガジン先端の打ち出し部から先頭のステープルが打ち出されると、送り手段によって後続のステープルが次々に打ち出し部に供給されるように構成されている。しかしながら、マガジン内には各５０本のステープルを連結した２連の連結ステープル、つまり計１００本のステープルが装填できる程度の収納スペースしかない。綴じ作業の多いオフィスでは、１００本のステープルは短時間のうちに消費されてしまうので、使用者はいつもマガジン内のステープルの消費状態に気を配っていなければならないので、煩わしかった。
【０００４】
この改善策として、ハンドルの上面に予備ステープル収納部を開口形成し、ここに予備のステープルを収納しておくものが提案されている。上記収納部にはカバーがヒンジで回動して開閉するように設けられている。
【特許文献１】実開平３−１１５７１号公報
【特許文献２】実用新案登録第３０６５３３０号公報
【発明の開示】
【発明が解決しようとする課題】
【０００５】
しかしながら、再装填される予備ステープルを手元に保管しておくことが難しい。宅配便の作業員や電車の乗務員などが伝票や切符を綴じるためにステープラをポケットに入れて携帯し、必要に応じてポケットから出して使用することがある。上記構成のステープルでは、カバーがポケットに引っ掛かって不用意に開いてしまい、収納部に収納されていたステープルが地面に落ちてばらけてしまうことがある。この場合、ばらけたステープルは使用できなくなってしまったり、装填に手間取ってしまい、業務に支障をきたす可能性がある。
【０００６】
これに対応する解決手段として、カバーを閉じた状態でロックさせるロック装置を付加することが考えられるが、ロック装置用の部品を追加すると、部品点数が増加してコストアップになってしまう。
【０００７】
本発明は上記問題点を解消し、予備ステープル収納部が不用意に開いて内部に収納したステープルが落下してばらけてしまうのを有効に防止することができる、予備ステープル収納部を備えたステープラを提供することをその課題とする。
【課題を解決するための手段】
【０００８】
上記課題を解決するため、本発明に係る予備ステープル収納部を備えたステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、上記収納部を覆うカバーとハンドルのうち一方の両側部に設けられた凸部を他方の両側部に設けられた長穴に、回動かつハンドルの長手方向に沿ってスライド可能に支持させるとともに、上記カバーが一方の端部にスライドしたときはカバーとハンドルとが係合し、他方の端部にスライドしたときは上記係合が解除されて上記カバーを回動可能としたことを特徴とする。
【０００９】
なお、上記長穴の中間部はその両側に比べて上記凸部がきつく移動するように形成するのが好ましい。
【００１０】
また、前記カバーの裏面には、カバー閉じ時に前記予備ステープル収納部に収納されたステープルを押える押え部を形成するのが望ましい。
【発明の効果】
【００１１】
請求項１に係る発明によれば、予備ステープル収納部を覆うカバーを回動かつスライド可能とし、カバーが一方の端部にスライドしたときはカバーとハンドルとが係合し、他方の端部にスライドしたときは上記係合が解除されて初めて上記カバーが回動可能となるので、カバーはスライド方向の力と開閉方向の力が加わらなければ開放されない。
【００１２】
上記ステープラをポケットに入れて携帯し、必要に応じてポケットから出して使用する場合であっても、上記構成のステープルでは、カバーがポケットに引っ掛かって不用意に開いてしまうことを有効に防止することができる。
【００１３】
請求項２に係る発明によれば、カバーをスライドさせるとき、凸部が長穴に沿ってきつく移動するように構成されているので、カバーが不測の原因で開くのをさらに確実に防止することができる。
【００１４】
請求項３に係る発明によれば、予備ステープル収納部に収納されている予備ステープルは、カバーが閉じられているときはカバーの押え部に押えられているので、がたつくことがない。
【発明を実施するための最良の形態】
【００１５】
図１は本発明に係るステープラの側面図を示す。同図において符号１はベース、２はマガジン、３はハンドルを示す。これらのベース１、マガジン２およびハンドル３は同じ支軸に支持されている。ベース１の先端にはクリンチ溝４が形成され、マガジン２には複数のステープル（図示せず）が装填されているとともに、先端部には先頭のステープルを打ち出す打ち出し部５が形成されている。
【００１６】
ハンドル３は横断面が下向きに開口したコの字形に形成され、外側は合成樹脂によって形成され、内側の先端にはドライバプレート８が形成されている。また、ハンドル３の下部にはステープル押さえ９が一定範囲で回動できるように設けられている。
【００１７】
上記構成により、ベース１とマガジ２ンとの間に被綴り用紙１０を挟み、マガジン２の上部のハンドル３をマガジン２側に押し付けることにより、ハンドル３に設けたドライバプレート８でマガジン２内の先頭のステープルを打ち出して被綴り用紙１０を貫通させ、貫通したステープルの脚部をベース１のクリンチ溝４で折り曲げて綴じることができる。
【００１８】
次に、上記ハンドル３の上面には予備ステープル収納部１１が開口形成されている。この予備ステープル収納部１１の幅と深さは、図２に示されるように、２連の連結ステープル１２が上下に向き合い、互いの脚部が当接した状態で収納できる大きさに形成されている。予備ステープル収納部１１の長さは２連の連結ステープル１２が前後に連続する状態で収納できる大きさに形成されている。したがって、予備ステープル収納部１１には４連の連結ステープル１２（合計２００本のステープル）を収納することができる。マガジン２には２連の連結ステープル１２が装填できるから、ステープラには全部で３００本の予備ステープルを保持しておくことができる。
【００１９】
上記予備ステープル収納部１１は合成樹脂製のカバー１３によって覆われるようになっている。すなわち、ハンドル３の予備ステープル収納部１１の両側縁には、カバー１３の肉厚分だけ内側に落とし込まれた段差部１４によって両側壁が形成されている。この両側壁１４の基部側にはハンドル３の長手方向に長い長穴１５が形成されている。図３に示されるように、上記長穴１５の中間部には三角形状の突部１６が形成され、長穴１５はその両側の幅に比べて突部１６の部分の幅が小さくなるように形成されている。また、長穴１５の下部には、上記長穴１５と平行なスリット１７が形成されている。
【００２０】
これに対応して、カバー１３の両側片の基部両側には、内側に突出するボス状の凸部１８が形成されている。この凸部１８は上記長穴１５に係合し、これにより、上記カバー１３は凸部１８を中心に回動可能であるとともに、凸部１８が長穴１５に沿って移動することにより、カバー１３は前後にスライド可能になっている。なお、長穴１５の中間部には突部１６が形成されているので、凸部１８が突部１６を越えて移動するときはきつくなるように構成されている。なお、凸部１８が突部１６を越えるとき、突部１６の変形分はスリット１７に吸収される。
【００２１】
また、カバー１３の先端には係合片１９が突出形成され、カバー１３が先端側にスライドしたときは、上記係合片１９がハンドル３の収納部先端側の内側に形成された係合溝２０に係合するように形成されている。
【００２２】
さらに、カバー１３の裏面には、図２に示されるように、カバー閉じ時に予備ステープル収納部１１に収納された連結ステープル１２を押える押え部として、２条の突条２３が形成されている。これらの突条２３の間隔はステープルの脚部間の間隔と同じにすればよい。なお、押え部はステープルを押えられる構造であればよい。突条ではなく、１個の凸部であってもよい。
【００２３】
次に、上記ステープラの使用態様について説明する。
【００２４】
まず、被綴り用紙１０を綴るときは、図１のようにカバー１３を閉じて通常のとおり使用すればよい。
【００２５】
綴り作業を繰り返した結果、予備ステープル収納部１１にステープルの残量が少なくなったとき、あるいは全くなくなったときは、まず図４のように、カバー１３を後方にスライドさせて、カバー１３の先端の係合片１９とハンドル３の予備ステープル収納部１１の内側との係合を外した後、図５のようにカバー１３を回動させて開き、予備ステープル収納部１１から予備ステープルを取り出してマガジン２に補充すればよい。補充後は、カバー１３を閉じて前方にスライドさせ、カバー１３の先端の係合片１９をハンドル３の収納部１１の内側係合溝２０に係合させればよい。
【００２６】
上述のように、予備ステープル収納部１１を覆うカバー１３を回動かつスライド可能とし、カバー１３が一方の端部にスライドしたときはカバー１３とハンドル３とが係合し、他方の端部にスライドしたときは上記係合が解除されて初めて上記カバー１３が回動可能となるので、カバー１３はスライド方向の力と開閉方向の力が加わらなければ開放されない。
【００２７】
また、宅配便の作業員や電車の乗務員などが伝票や切符を綴じるためにステープラをポケットに入れて携帯し、必要に応じてポケットから出して使用することがあるが、その場合でも、上記構成のステープラはいったんカバー１３をスライドさせなければ開き作動しないので、カバー１３がポケットに引っ掛かって不用意に開いてしまい、予備ステープル収納部１１に収納されていた連結ステープル１２が地面に落ちてばらけてしまうというような不都合を有効に防止することができる。
【００２８】
カバー１３の凸部１８が長穴１５に沿ってスライドするとき、中間部ではきつく移動するように構成することにより、カバー１３が軽くロックされ、カバー１３が不測の原因で開くのをさらに確実に防止することができる。
【００２９】
図６はカバーの他のスライド態様説明図で、図１のＡ部に対応する部分を横断面図で示したもので、カバー１３の両側片基部の凸部１８はハンドル３の両側縁の長穴２１内に係合するように構成され、長穴２１の溝底の中間部には山形の突部２２が形成されている。
【００３０】
上記構成の場合も、凸部１８が長穴２１に沿ってスライドするとき、中間部ではきつく移動するという効果が得られる。
【００３１】
なお、ボス状の凸部１８はハンドルの予備ステープル収納部１１の両側壁の基部側に、長穴はカバーの両側片の基部両側に形成するようにしてもよい。ボスに代えて、カバー１３の両側片を貫通する軸としてもよい。
【００３２】
さらに、カバー１３の裏面の押え部２３があるときは、予備ステープル収納部内のステープルを押えてがたつきを防止することができ、この場合は必ずしもカバー１３をスライド構造にする必要はない。
【図面の簡単な説明】
【００３３】
【図１】本発明に係るステープラの側面図である。
【図２】収納部の要部の横断面図である。
【図３】図１のＡ部の拡大図である。
【図４】上記ステープラをスライドさせた状態の側面図である。
【図５】カバーを開いた状態の側面図である。
【図６】カバーの他のスライド態様説明図である。
【符号の説明】
【００３４】
３  ハンドル
１１  予備ステープル収納部
１３  カバー
【図１】
2008119828.tif 000003
【図２】
2008119828.tif 000004
【図３】
2008119828.tif 000005
【図４】
2008119828.tif 000006
【図５】
2008119828.tif 000007
【図６】
2008119828.tif 000008
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、  予備ステープル収納部の底面と対向するカバーの裏面にはカバー閉じ時に予備ステープル収納部に収納された連結ステープルを押える２条の突条が一体に形成された押え部を備えたことを特徴とする予備ステープル収納部を備えたステープラ。
【請求項２】
ハンドル部の予備ステープル収納部の両側縁には、内側に落とし込まれた段差部を形成し、カバーには前記段差部に対応する側片を備えたことを特徴とする請求項１に記載の予備ステープル収納部を備えたステープラ。
【手続補正２】
【補正対象書類名】明細書
【補正対象項目名】全文
【補正方法】変更
【補正の内容】
【発明の詳細な説明】
【技術分野】
【０００１】  本発明は、マガジン内に装填したステープルのほかに、予備ステープルの収納部を備えたステープラに関するものである。
【背景技術】
【０００２】  一般に、この種のステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるものである。【０００３】  ところで、ステープルはマガジン内に装填され、マガジン先端の打ち出し部から先頭のステープルが打ち出されると、送り手段によって後続のステープルが次々に打ち出し部に供給されるように構成されている。しかしながら、マガジン内には各５０本のステープルを連結した２連の連結ステープル、つまり計１００本のステープルが装填できる程度の収納スペースしかない。綴じ作業の多いオフィスでは、１００本のステープルは短時間のうちに消費されてしまうので、使用者はいつもマガジン内のステープルの消費状態に気を配っていなければならないので、煩わしかった。【０００４】  この改善策として、ハンドルの上面に予備ステープル収納部を開口形成し、ここに予備のステープルを収納しておくものが提案されている。上記収納部にはカバーがヒンジで回動して開閉するように設けられている。【特許文献１】実開平３−１１５７１号公報
【特許文献２】実用新案登録第３０６５３３０号公報
【発明の開示】
【発明が解決しようとする課題】
【０００５】  しかしながら、予備ステープル収納部に収納される予備ステープルは単に収納部内に収納するだけでは、例えばステープラをポケットに入れて携帯するようなときにガタガタと音を立てて不快感を与えることになる。したがって、収納部に収納される予備ステープルは適宜移動しないように固定することが行われているが、単純な構造で確実にステープルを固定することができ、しかも安価で満足のできる固定手段を備えたステープラは未だに提供されていない。【０００６】  本発明は、上記問題点を解消した予備ステープル収納部を備えたステープラを提供することをその課題とする。
【課題を解決するための手段】
【０００７】  上記課題を解決するため、本発明に係る予備ステープル収納部を備えたステープラは、先端にクリンチ溝を形成したベースと複数のステープルを装填したマガジンとの間に被綴り用紙を挟み、マガジンの上部のハンドルをマガジン側に押し付けることにより、ハンドルに設けたドライバプレートでマガジン内の先頭のステープルを打ち出して被綴り用紙を貫通させ、貫通したステープルの脚部をベースのクリンチ溝で折り曲げて綴じるとともに、ハンドルの上面に予備ステープル収納部を開口形成したステープラにおいて、予備ステープル収納部の底面と対向するカバーの裏面にはカバー閉じ時に予備ステープル収納部に収納された連結ステープルを押える２条の突条が一体に形成された押え部を備えたことを特徴とする。【０００８】  なお、ハンドル部の予備ステープル収納部の両側縁には、内側に落とし込まれた段差部を形成し、カバーには前記段差部に対応する側片を備えたことを特徴とする。
【発明の効果】
【０００９】  請求項１に係る発明によれば、予備ステープル収納部に収納されている予備ステープルは、カバーが閉じられているときはカバーの裏面に一体に形成されたステープルの脚部間の間隔と同じ間隔で形成された２条の突条からなる押え部により効果的に押えられるので、がたつくことがない。【００１０】  請求項２に係る発明によれば、ハンドルの両側縁の段差部に対応するようにカバーの側片が位置するから、ハンドルを握ったときに邪魔になることがなくハンドルの操作に支障を来たすことはない。
【発明を実施するための最良の形態】
【００１１】  図１は本発明に係るステープラの側面図を示す。同図において符号１はベース、２はマガジン、３はハンドルを示す。これらのベース１、マガジン２およびハンドル３は同じ支軸に支持されている。ベース１の先端にはクリンチ溝４が形成され、マガジン２には複数のステープル（図示せず）が装填されているとともに、先端部には先頭のステープルを打ち出す打ち出し部５が形成されている。【００１２】  ハンドル３は横断面が下向きに開口したコの字形に形成され、外側は合成樹脂によって形成され、内側の先端にはドライバプレート８が形成されている。また、ハンドル３の下部にはステープル押さえ９が一定範囲で回動できるように設けられている。【００１３】  上記構成により、ベース１とマガジン２との間に被綴り用紙１０を挟み、マガジン２の上部のハンドル３をマガジン２側に押し付けることにより、ハンドル３に設けたドライバプレート８でマガジン２内の先頭のステープルを打ち出して被綴り用紙１０を貫通させ、貫通したステープルの脚部をベース１のクリンチ溝４で折り曲げて綴じることができる。【００１４】  次に、上記ハンドル３の上面には予備ステープル収納部１１が開口形成されている。この予備ステープル収納部１１の幅と深さは、図２に示されるように、２連の連結ステープル１２が上下に向き合い、互いの脚部が当接した状態で収納できる大きさに形成されている。予備ステープル収納部１１の長さは２連の連結ステープル１２が前後に連続する状態で収納できる大きさに形成されている。したがって、予備ステープル収納部１１には４連の連結ステープル１２（合計２００本のステープル）を収納することができる。マガジン２には２連の連結ステープル１２が装填できるから、ステープラには全部で３００本の予備ステープルを保持しておくことができる。【００１５】  上記予備ステープル収納部１１は合成樹脂製のカバー１３によって覆われるようになっている。すなわち、ハンドル３の予備ステープル収納部１１の両側縁には、カバー１３の肉厚分だけ内側に落とし込まれた段差部１４によって両側壁が形成され、そして、このハンドル３の両側壁１４の基部側は回動可能にベース１に支持されており、また、カバー１３の両側片の基部両側が前記ハンドル３の両側壁の基部側で回動可能に支持されている。【００１６】  カバー１３の裏面には、図２に示されるように、カバー１３の閉鎖時に予備ステープル収納部１１に収納された連結ステープル１２を押える押え部として、２条の突条２３が一体に形成されている。これらの突条２３の間隔はステープルの脚部間の間隔と同じにすればよい。【００１７】  次に、上記ステープラの使用態様について説明する。【００１８】  まず、被綴り用紙１０を綴るときは、図１のようにカバー１３を閉じて通常のとおり使用すればよい。【００１９】  綴り作業を繰り返した結果、予備ステープル収納部１１にステープルの残量が少なくなったとき、あるいは全くなくなったときは、図３のようにカバー１３を回動させて開き、予備ステープル収納部１１から予備ステープルを取り出してマガジン２に補充すればよい。補充後は、カバー１３を閉じればよい。【００２０】 上述のように、カバー１３の裏面の２条の突��１５からなる押え部は、予備ステープル収納部１１内のステープルを押えてがたつきを効果的に防止することができる。
【図面の簡単な説明】
【００２１】
【図１】本発明に係るステープラの側面図である。
【図２】収納部の要部の横断面図である。
【図３】カバーを開いた状態の側面図である。
【符号の説明】
【００２２】  ３  ハンドル  １１  予備ステープル収納部  １３  カバー
【手続補正３】
【補正対象書類名】図面
【補正対象項目名】図１
【補正方法】変更
【補正の内容】
【図１】
2008119828.tif 000009
【手続補正４】
【補正対象書類名】図面
【補正対象項目名】図３
【補正方法】変更
【補正の内容】
【図３】
2008119828.tif 000010
【手続補正５】
【補正対象書類名】図面
【補正対象項目名】図４
【補正方法】削除
【補正の内容】
【手続補正６】
【補正対象書類名】図面
【補正対象項目名】図５
【補正方法】削除
【補正の内容】
【手続補正７】
【補正対象書類名】図面
【補正対象項目名】図６
【補正方法】削除
【補正の内容】